(57)【要約】【課題】イベント会場等の販売スペースが限られた場所で、印画物を効率良く販売する。【解決手段】印画物販売システムは、撮影画像を管理する管理装置５から前記撮影画像の第１画像データを取得し、前記第１画像データを用いて注文受付画面を作成し、前記注文受付画面を介して前記撮影画像の印画物の注文を受け付け、注文の合計金額を算出し、注文受付番号を発行する注文受付端末１と、注文受付端末１から注文内容、前記合計金額及び前記注文受付番号を受信し、受付票２０を作成する受付票プリンタ２と、注文受付端末１から前記注文内容、前記合計金額及び前記注文受付番号を受信し、前記注文内容に基づいて、前記管理装置から前記撮影画像の第２画像データを取得し、前記合計金額及び前記注文受付番号を用いて領収書画像を作成し、前記領収書画像及び前記第２画像データをプリンタ４へ転送してプリント出力させるプリンタ制御装置３と、を備える。【選択図】図１
2019128770.tif 000002
【特許請求の範囲】
【請求項１】
撮影画像を管理する管理装置と、
前記管理装置から前記撮影画像の第１画像データを取得し、前記第１画像データを用いて注文受付画面を作成して表示部に表示し、前記注文受付画面を介して前記撮影画像の印画物の注文を受け付け、注文の合計金額を算出し、各注文を識別する注文受付番号を発行する注文受付端末と、
前記注文受付端末から注文内容、前記合計金額及び前記注文受付番号を受信し、紙にプリントして受付票を出力する受付票プリンタと、
前記注文受付端末から前記注文内容、前記合計金額及び前記注文受付番号を受信し、前記注文内容に基づいて、前記管理装置から前記撮影画像の第２画像データを取得し、前記合計金額及び前記注文受付番号を用いて領収書画像を作成し、前記領収書画像及び前記第２画像データをプリンタへ転送してプリント出力させるプリンタ制御装置と、
を備える印画物販売システム。
【請求項２】
前記第２画像データは、前記第１画像データよりもデータサイズが大きいことを特徴とする請求項１に記載の印画物販売システム。
【請求項３】
前記プリンタ制御装置と通信可能に接続された複数台のプリンタをさらに備え、
前記プリンタ制御装置は、注文毎に、前記領収書画像及び前記第２画像データを前記複数台のプリンタのうちのいずれか１台へ転送することを特徴とする請求項１又は２に記載の印画物販売システム。
【請求項４】
撮影画像を管理する管理装置から前記撮影画像の画像データを取得する画像取得部と、
前記画像データを用いて注文受付画面を作成して表示部に表示し、前記注文受付画面を介して前記撮影画像の印画物の注文を受け付け、各注文を識別する注文受付番号を発行する注文受付部と、
注文の合計金額を計算する計算部と、
注文内容、前記合計金額、及び前記注文受付番号を含む受付票データを生成する受付票データ生成部と、
前記合計金額及び前記注文受付番号を含む領収書データを生成する領収書データ生成部と、
前記受付票データを受付票プリンタへ送信し、領収書及び印画物のプリント出力を行うプリンタを制御するプリンタ制御装置へ前記注文内容及び前記領収書データを送信するデータ送信処理部と、
を備える注文受付端末。
【発明の詳細な説明】
【技術分野】
【０００１】
本発明は、印画物販売システム及び注文受付端末に関する。
【背景技術】
【０００２】
野球場やコンサート会場等のイベント会場においては、イベント出演者、すなわち野球選手やアーティストに関連する多数の商品が販売されている。例えば、写真、ポスター、フォトブック、キーホルダー、Ｔシャツ等が販売されている。
【０００３】
これらの商品を販売するスペースは限られており、購入希望者は商品を購入するために行列に長時間並ぶ必要があった。商品はイベント開始前やイベント中にも販売されており、購入希望者を多少分散しているが、イベント終了後に販売スペースを訪れる購入希望者が多い。
【０００４】
最近では、イベント中にプロカメラマンが撮影した写真をほぼリアルタイムにプリント出力し、当日販売するサービスが提供されている。このようなサービスを提供している場合、当日のイベント中の写真を購入するために、イベント終了後に販売スペースを訪れる購入希望者が特に多くなる。
【０００５】
販売スペースでは、販売している写真が、番号と共に壁に掲示されている。購入希望者は掲示された写真を見ながら、注文用紙の写真番号欄に購入枚数を記入し、記入後、購入待ちの行列に並ぶ。会計時に注文用紙をスタッフに渡すと、スタッフは、手作業で金額を計算し、顧客から現金を受け取り、釣り銭を支払う。会計後、スタッフは、番号別に写真が集積された集積棚のあるピッキングエリアへ行き、注文用紙を見ながら写真をピッキングし、商品袋に入れて、顧客へ渡していた。
【０００６】
従来、手書き注文用紙から数量、金額をスタッフが手作業で計算しており、手間がかかると共に、商品代金に間違いが生じるおそれがあった。また、注文用紙を見ながら集積棚から写真をピッキングするのは時間がかかっていた。
【先行技術文献】
【特許文献】
【０００７】
【特許文献１】特開２００２−２３６７７１号公報
【発明の概要】
【発明が解決しようとする課題】
【０００８】
本発明は、上記従来の実状に鑑みてなされたものであり、印画物を効率良く販売できる印画物販売システム及び注文受付端末を提供することを課題とする。
【課題を解決するための手段】
【０００９】
本発明による印画物販売システムは、撮影画像を管理する管理装置と、前記管理装置から前記撮影画像の第１画像データを取得し、前記第１画像データを用いて注文受付画面を作成して表示部に表示し、前記注文受付画面を介して前記撮影画像の印画物の注文を受け付け、注文の合計金額を算出し、各注文を識別する注文受付番号を発行する注文受付端末と、前記注文受付端末から注文内容、前記合計金額及び前記注文受付番号を受信し、紙にプリントして受付票を出力する受付票プリンタと、前記注文受付端末から前記注文内容、前記合計金額及び前記注文受付番号を受信し、前記注文内容に基づいて、前記管理装置から前記撮影画像の第２画像データを取得し、前記合計金額及び前記注文受付番号を用いて領収書画像を作成し、前記領収書画像及び前記第２画像データをプリンタへ転送してプリント出力させるプリンタ制御装置と、を備えるものである。
【００１０】
本発明の一態様による印画物販売システムにおいて、前記第２画像データは、前記第１画像データよりもデータサイズが大きい。
【００１１】
本発明の一態様による印画物販売システムにおいて、前記プリンタ制御装置と通信可能に接続された複数台のプリンタをさらに備え、前記プリンタ制御装置は、注文毎に、前記領収書画像及び前記第２画像データを前記複数台のプリンタのうちのいずれか１台へ転送する。
【００１２】
本発明による注文受付端末は、撮影画像を管理する管理装置から前記撮影画像の画像データを取得する画像取得部と、前記画像データを用いて注文受付画面を作成して表示部に表示し、前記注文受付画面を介して前記撮影画像の印画物の注文を受け付け、各注文を識別する注文受付番号を発行する注文受付部と、注文の合計金額を計算する計算部と、注文内容、前記合計金額、及び前記注文受付番号を含む受付票データを生成する受付票データ生成部と、前記合計金額及び前記注文受付番号を含む領収書データを生成する領収書データ生成部と、前記受付票データを受付票プリンタへ送信し、領収書及び印画物のプリント出力を行うプリンタを制御するプリンタ制御装置へ前記注文内容及び前記領収書データを送信するデータ送信処理部と、を備えるものである。
【発明の効果】
【００１３】
本発明によれば、印画物を効率良く販売できる。
【図面の簡単な説明】
【００１４】
【図１】本発明の実施形態に係る印画物販売システムの概略構成図である。
【図２】印画物の販売スペースの例を示す図である。
【図３】注文受付端末の機能ブロック図である。
【図４】（ａ）〜（ｃ）は注文受付端末の表示画面の例を示す図である。
【図５】発行される受付票の例を示す図である。
【図６】プリンタ制御装置の機能ブロック図である。
【図７】プリンタからの出力物の例を示す図である。
【発明を実施するための形態】
【００１５】
以下、本発明の実施の形態を図面に基づいて説明する。
【００１６】
図１は、本発明の実施形態に係る印画物販売システムの概略構成図である。印画物販売システムは、スポーツ施設やコンサート会場等のイベント会場において写真等の印画物を販売するためのシステムであり、顧客からの注文を受け付ける注文受付端末１、受け付けた注文内容を記載した受付票２０をプリント出力する小型の受付票プリンタ２、印画物（写真）をプリント出力するプリンタ４、プリンタ４を制御するプリンタ制御装置３、販売画像を管理する管理装置５等を備える。プリンタ４は、複数台設けられていることが好ましい。
【００１７】
スポーツの試合中の選手の写真や、コンサート中のミュージシャンの写真が、プロカメラマンのカメラ６で撮影される。カメラ６で撮影された画像は、管理装置５にアップロードされ、当日、販売されるようになっている。管理装置５にアップロードされた画像は、管理者端末７により販売の可否が設定できるようになっている。
【００１８】
なお、販売する商品は写真に限定されず、ポスター、フォトブック、キーホルダー等も販売される。
【００１９】
図２は、イベント会場における印画物の販売スペースの例を示す。掲示板８０には、販売されている写真８やその他の商品が識別番号と共に掲示されている。顧客は、掲示板８０を見ながら、注文用紙９に購入希望の写真（商品）の識別番号及び枚数を記入する。注文用紙９に予め識別番号の一覧が印字されている場合は、購入希望の写真の番号欄に購入数のみ記入すればよい。
【００２０】
注文用紙９の記入後、顧客は購入待ちの列Ｌに並ぶ。販売スペースのスタッフＳ１は、注文受付端末１及び受付票プリンタ２を携帯し、注文受付端末１を使用して、列Ｌに並んでいる顧客から購入注文を受け付ける。
【００２１】
注文受付端末１は、注文を受け付けると、注文受付番号を発行し、注文内容及び注文受付番号を受付票プリンタ２へ転送する。受付票プリンタ２は、注文内容及び注文受付番号を記載した受付票２０（図５参照）を出力する。受付票２０は顧客に渡される。
【００２２】
また、注文受付端末１は、注文を受け付けると、注文内容、及び領収書作成に必要な領収書データをプリンタ制御装置３へ転送する。領収書データは、注文商品の合計金額や、注文受付番号等を含む。
【００２３】
プリンタ制御装置３は、注文受付端末１から注文内容を受信すると、注文された写真のプリント用画像をプリンタ４へ転送し、写真のプリント出力を実行させる。また、プリンタ制御装置３は、注文受付端末１から受信した領収書データを用いて領収書画像を生成し、領収書画像をプリンタ４へ転送し、領収書のプリント出力を実行させる。
【００２４】
プリンタ制御装置３は、写真画像及び領収書画像を同じプリンタ４へ転送する。図７に示すように、プリンタ４は同一注文の領収書Ｒ及び写真Ｐを続けてプリント出力する。１台のプリンタ４が異なる注文のプリント出力処理を連続して行う場合、プリンタ４の排出口には、第１注文の領収書、第１注文の写真、第２注文の領収書、第２注文の写真・・・のような順で印画物が積層される。従って、１枚の領収書と、この領収書の次の写真から次の領収書の手前までの写真が同一注文のものとなるため、取り扱いが容易である。
【００２５】
スタッフＳ２は、プリンタ４から出力された印画物を注文毎に仕分けして、販売スペース後方のテーブルＴに並べる。
【００２６】
受付票２０を受け取った顧客は、スタッフＳ３に受付票２０を渡し、料金を支払う。スタッフＳ３は、受付票２０に記載された金額を確認し、顧客から貨幣を受け取り、必要に応じて釣り銭を支払う。会計処理後、スタッフＳ３は、受付票２０に支払い済の押印を行う。
【００２７】
料金支払い後、顧客は押印された受付票２０をスタッフＳ４に渡す。スタッフＳ４は、受付票２０に記載された注文受付番号を確認し、テーブルＴ上に並べられた印画物のうち、受付票２０と同じ注文受付番号が記載された領収書Ｒ及びこの領収書Ｒが重ねられた写真Ｐをピッキングし、商品袋Ｇに入れて顧客に渡す。キーホルダー等、写真以外の購入商品がある場合、スタッフＳ４はそれらの商品もピッキングし、商品袋Ｇに入れる。
【００２８】
このように、本実施形態によれば、注文受付端末１を用いて購入注文を受け付け、金額を計算し、受付票プリンタ２が、注文内容及び金額を記載した受付票２０を出力する。従来のように、手書き注文用紙から数量、金額を手作業で計算する必要がないため、代金の支払い処理の効率・精度を向上させることができる。
【００２９】
また、プリンタ４が領収書Ｒ及び写真Ｐを注文単位でプリント出力する。従来のように、番号別に写真が集積された集積棚から、注文用紙を見ながら写真をピッキングする必要がないため、商品を顧客へ速やかに渡すことができる。
【００３０】
次に、注文受付端末１について説明する。注文受付端末１は、表示部、操作部、無線通信機能等を備えた小型のコンピュータであり、例えばタッチパネルを搭載したタブレット端末を用いることができる。
【００３１】
図３に示すように、注文受付端末１は、ＲＯＭ（Read  Only  Memory）、ＲＡＭ（Random  Access  Memory）、不揮発性メモリ等を含む記憶部１０を有し、この記憶部１０には注文受付プログラムが格納されている。注文受付端末１のＣＰＵ（Central  Processing  Unit）が注文受付プログラムを実行することで、図３に示すように、画像取得部１１、注文受付部１２、計算部１３、受付票データ生成部１４、領収書データ生成部１５、及びデータ送信処理部１６が実現される。
【００３２】
画像取得部１１は、管理装置５から販売画像を取得する。ここで取得する画像は、閲覧用のデータサイズの小さい画像である。画像データは記憶部１０に格納される。上述したように、管理装置５にはイベント中に撮影された画像が随時アップロードされる。画像取得部１１は、定期的に管理装置５にアクセスし、最新の販売画像を取得する。
【００３３】
注文受付部１２は、注文受付画面を作成し、タッチパネルに表示して、商品の注文を受け受ける。例えば、注文受付部１２は、画像取得部１１が取得した画像を用いて、図４（ａ）に示すような写真の注文受付画面を作成し、タッチパネル１Ａに表示する。
【００３４】
スタッフＳ１は、この注文受付画面を顧客に提示しながら、顧客が記入した注文用紙９の内容に従って、注文数を入力する。
【００３５】
販売スペースでは、プリンタ４で出力する写真以外の商品、すなわち、事前に製造しておいたポスター、キーホルダー等の商品も販売される。商品及びその価格に関する商品データは、記憶部１０に予め登録されている。注文受付部１２は、商品データを用いて、図４（ｂ）に示すような写真以外の商品の注文受付画面を作成し、タッチパネル１Ａに表示する。注文受付画面は、タブ切り替えできるようになっている。
【００３６】
注文商品の入力が終了すると、スタッフＳ１は会計タブを押す。計算部１３は、注文内容に基づいて合計金額を算出する。注文受付部１２は、注文内容と、算出された合計金額とを用いて、図４（ｃ）に示すような確認画面を作成し、タッチパネル１Ａに表示する。
【００３７】
確認画面の確定ボタンが押されると、注文受付部１２は、注文を一意に識別する注文受付番号を発行し、確定した注文内容に割り当てる。
【００３８】
受付票データ生成部１４は、注文内容、合計金額、及び注文受付番号を含む受付票データを生成する。データ送信処理部１６は、受付票データを受付票プリンタ２へ送信する。
【００３９】
受付票プリンタ２は、注文受付端末１から受信した受付票データを用いて、図５に示すような受付票２０をプリント出力する。受付票２０は、例えば感熱記録紙を用いたものである。
【００４０】
領収書データ生成部１５は、注文商品の合計金額や、注文受付番号等を含む領収書データを生成する。データ送信処理部１６は、注文内容及び領収書データをプリンタ制御装置３へ送信する。
【００４１】
注文受付端末１と、受付票プリンタ２及びプリンタ制御装置３との通信方式は特に限定されず、有線通信でもよく、無線通信でもよい。
【００４２】
次に、プリンタ制御装置３について説明する。図６に示すように、プリンタ制御装置３は、ＲＯＭ、ＲＡＭ、不揮発性メモリ又はハードディスク装置等を含む記憶部３０を有し、この記憶部３０には印画物作製プログラムが格納されている。
【００４３】
プリンタ制御装置３のＣＰＵが印画物作製プログラムを実行することで、図６に示すように、注文内容受信部３１、画像取得部３２、領収書データ受信部３３、領収書画像生成部３４、及びプリント処理部３５が実現される。
【００４４】
注文内容受信部３１は、注文受付端末１から注文内容を受信する。
【００４５】
画像取得部３２は、受信した注文内容から写真の注文を特定し、この写真に対応する画像データを管理装置５から取得する。画像データは記憶部３０に格納される。ここで取得する画像は、プリント用の画像であり、注文受付端末１が管理装置５から取得する画像データよりもデータサイズの大きいものである。
【００４６】
なお、管理装置５から一回取得した画像データは記憶部３０に保存されているため、次回以降の注文に同じ写真が含まれている場合、この写真の画像データについては管理装置５から取得する必要はない。
【００４７】
領収書データ受信部３３は、注文受付端末１から領収書データを受信する。
【００４８】
領収書画像生成部３４は、領収書データを用いて領収書画像を生成する。
【００４９】
プリント処理部３５は、注文毎に、領収書画像及び写真画像を１台のプリンタ４へ転送し、プリント処理を実行するように指示する。これにより、注文毎に、領収書Ｒ及び写真Ｐが１台のプリンタ４から出力され、取り扱いが容易になる。
【００５０】
プリンタ４は、インクジェット方式や熱転写方式の高解像度のカラープリンタである。プリンタ４は、領収書画像及び写真画像を印画紙に印画して、図７に示すように、領収書Ｒ及び写真Ｐを出力する。
【００５１】
本実施形態では、注文受付端末１を用いて購入注文を受け付け、金額を自動計算し、受付票プリンタ２が、注文内容及び金額を記載した受付票２０を出力するため、料金の支払い処理の効率・精度を向上させることができる。
【００５２】
また、プリンタ４が領収書Ｒ及び写真Ｐを注文単位でプリント出力するため、商品のピッキングが容易であり、商品を顧客へ速やかに渡すことができる。また、写真Ｐをプリント出力するプリンタ４で領収書Ｒもプリント出力するため、領収書発行用のプリンタを設置する必要がなく、イベント会場など販売スペースに限りがある場所において好適である。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５４】
１  注文受付端末
２  受付票プリンタ
３  プリンタ制御装置
４  プリンタ
５  管理装置
６  カメラ
７  管理者端末
【図１】
2019128770.tif 000003
【図２】
2019128770.tif 000004
【図３】
2019128770.tif 000005
【図４】
2019128770.tif 000006
【図５】
2019128770.tif 000007
【図６】
2019128770.tif 000008
【図７】
2019128770.tif 000009